(57)【特許請求の範囲】
【請求項１】
上端を広口に開口した口部としたボトル本体と、
前記口部に取り付けられる蓋体であって、内側面にボトル係合部が形成された外筒部と、外筒部の上部を覆う上蓋部からなり、外筒部の上面内側に先端が外側に湾曲した注出筒部が突出形成され、この注出筒部の内側にヒンジ部を介して一体に連結していて注出筒部の下端に係合する、液注出孔付きの中蓋部が設けられ、中蓋部をヒンジ部を支点に下方に回動させて注出筒部の内側を広く開放可能としてなる蓋体により構成された固液分離容器。
【請求項２】
内側面にボトル係合部が形成された外筒部と、外筒部の上部を覆う上蓋部からなり、外筒部の上面内側に先端が外側に湾曲した注出筒部が突出形成され、この注出筒部の内側にヒンジ部を介して一体に連結していて注出筒部の下端に係合する、液注出孔付きの中蓋部が設けられ、中蓋部をヒンジ部を支点に下方に回動させて注出筒部の内側を広く開放可能としてなる蓋体。
【発明の詳細な説明】
【０００１】
【発明の属する技術分野】
本発明は、例えば蒸留酒に果実を漬け込んだ果実酒の製造に用いられる容器などのように、固形物と液体を一つの容器に入れて保存し、それぞれ分離して抽出できるようにした構造の容器と蓋体に関する。
【０００２】
【従来の技術】
梅酒などの果実酒の製造及び貯蔵に用いられる容器として実用新案登録第３０３７６１９号公報に記載のものが知られている。この容器は、上端を広口の開口部とした有底円筒形の容器本体と、容器本体の上端に嵌合して開口部を覆う注ぎ口付きの蓋体からなり、蓋体を装着したまま注ぎ口から果実酒を注出し、蓋体を容器本体から外して果実を取り出せるように構成されている。
【０００３】
【発明が解決する課題】
果実酒を飲用する際、容器に漬け込んだ果実も果実酒とともにコップに入れ、飲用後に食べることが度々あるが、従来技術の容器では、蓋体を容器本体から外さないと果実を取り出せないため取り扱いが面倒であり、また、蓋体を着脱操作する際に蓋体内側や容器本体との隙間に付着した果実酒が容器の外にこぼれたり容器外面に垂れたりすることがあった。
【０００４】
この種の容器は、果実を漬け込むため容量が大きく、容器の外径も大きいため蓋体を着脱する操作は容易ではなく、蓋体操作中に誤って内容液をこぼしたり容器を倒したりすることを防止するためにも、蓋体を外さなくとも果実を取り出せる構造であることが望ましい。
【０００５】
本発明は従来技術の有するこのような問題点に鑑み、果実酒用の容器のように固形物と液体を一つの容器に入れて保存などに用いられる容器において、蓋体を容器本体に装着したまま簡易な操作で固形物と液体を分離して抽出できるようにすることを課題とする。
【０００６】
【課題を解決するための手段】
前記課題を解決するため本発明の固液分離容器は、上端を広口の開口部としたボトル本体と、ボトル本体の口部に嵌合する外筒部と外筒部の上部に装着する上蓋部と外筒部の内側にヒンジ部を介して一体に連結した液注出孔付きの中蓋部とを備えた蓋体により構成してなるものである。
【０００７】
この容器は、ボトル本体の口部に外筒部を嵌合して蓋体が取り付けられ、外筒部に上蓋部を装着することによりボトル本体の開口部が塞がれ、ボトル本体内部が密閉状態に維持される。
内容液の注出は、上蓋部を取り外したボトル本体を傾けて行い、内容液は中蓋部の液注出孔を通って外筒部の上部から注出される。固形物の取り出しは、中蓋部をヒンジ部を支点に回動して外筒部の内側を開放し、外筒部とボトル本体を連通させた状態で、外筒部の上部からボトル本体内に差し入れた箸などで挟み取ることにより行う。
【０００８】
前記容器を構成する蓋体は、内側面にボトル係合部が形成された外筒部と、外筒部の上部を覆う上蓋部からなり、外筒部の上面内側に先端が外側に湾曲した注出筒部が突出形成され、この注出筒部の内側にヒンジ部を介して一体に連結していて注出筒部の下端に係合する、液注出孔付きの中蓋部が設けられ、中蓋部をヒンジ部を支点に下方に回動させて注出筒部の内側を広く開放可能としてなる構成とすることができる。
【０００９】
【発明の実施の形態】
図面を参照して本発明の好適な実施の形態を説明する。
図１は本発明の一実施形態の容器の外観図、図２は開蓋状態の蓋体の平面図、図３は図２のIII-III 線に沿った断面図、図４は閉蓋状態の蓋体の断面図、図４は容器から内容液と固形物の抽出操作を示した図である。
【００１０】
図１に示されるように、容器１はボトル本体２と蓋体３により構成される。
ボトル本体２は、プラスチックを用い、上端を広口の開口部２１とした有底円筒形状に形成してある。より詳しくは、底部２２から適宜な高さに胴部２３が円筒状に立ち上がり、胴部２３の上部に蓋体３の下端が接合する受段部２４を環状に設け、この受段部２４の内側に、外周面に雄ねじを有する口部２５を上方に突出させ、口部２５の内側を広口の開口部２１としてある（図４参照）。
【００１１】
蓋体３は、プラスチックを用い、射出成形により、ボトル本体１の口部２５に嵌合する外筒部３１に、外筒部の上部を覆う上蓋部３２と、外筒部の内部を上下に仕切る中蓋部３３をそれぞれヒンジ部３４、３５を介して一体に形成してある。
【００１２】
外筒部３１は、ボトル本体２の口部２５に嵌着する筒形状をなし、その内側面に口部２５の外周面に係合する雌ねじが形成され、その上部内側には、内方に折れて水平に張り出した縮径部３１ａを介して、上方に折り返って突出し、先端を外側に湾曲させた注出筒部３１ｂが設けてある。また、縮径部３１ａの上面には、上蓋部３２が嵌合する壁部３１ｃが環状に突設してある。
【００１３】
上蓋部３２は、天板３２ａの周囲に側板３２ｂを垂下し、注出筒部３１ｂが突出した外筒部３１の上面全体を覆う形状をなし、外筒部３１の上部側面に設けたヒンジ部３４に一体に連結されて当該ヒンジ部の廻りを回動し得るように設けてある。また、天板３２ａの下面には、注出筒部３１ｂの開口径とほぼ同径の輪郭で当該面に対して垂直に突出していて、上蓋部３２を外筒部３１に装着したときに注出筒部３１ｂの内周面に圧密に接合する環状突片３２ｃが形成してある。側板３２ｂの縁部には摘み片３２ｄを突設させてある。
上蓋部３２は、ヒンジ部３４を支点として上方に回動させて外筒部３１の上部に被せると、図４に示されるように、側板３２ｂの内周縁が前記壁部３１ｃの外周面に嵌合し、且つ環状突片３２ｃが注出筒部３１ｂに内嵌合して隙間なく圧接し、外筒部３１の上部開口を閉鎖し、また、この状態から摘み片３２ｄを摘んで嵌合を外すと、自身の弾性により、ヒンジ部３４を支点として外筒部３１の側方に回動して外筒部３１の上部開口を開放するようになっている。
【００１４】
中蓋部３３は、液注出孔３３ａを複数備え、注出筒部３１ｂの内側に設けたヒンジ部３５に一体に連結されて当該ヒンジ部の廻りを回動し得るように設けてある。より詳しくは、ヒンジ部３５はその下側に切欠溝３５ａが形成されてなり（図３参照）、これにより中蓋部３３は常時上方へ弾圧付勢されて、ヒンジ部３５と対抗する端部側に設けた係合突片３３ｂ、３３ｂが注出筒部３１ｂの下端に係合して注出筒部３１ｂの下側に係止され、下方への押圧力が加えられたときにのみ、ヒンジ部３５を支点として下方に回動するようになっている。中蓋部３３は、注出筒部３１ｂの下側に係止された状態で、その周囲に液注出用の細い隙間ができる大きさに設けてある。
【００１５】
このように形成された蓋体３は、上蓋部３３が装着された外筒部３１を、果実などの固形物と蒸留酒などの液体が充填されたボトル本体２の口部２５に係合し、回らなくなるまで螺合することによってボトル本体２の口部２５にしっかりと固定され、ボトル本体２の開口部２１を閉鎖してボトル内部を密閉する。
この状態で容器１を傾けたとしても、開口部２１と通ずる蓋体３の注出筒部３１ｂの端部が上蓋部３２の天板３２ａと環状突片３２ｃによって隙間なく塞がれるので、内容液が容器外側に漏れることがない。また、口部２５に固定された外筒部３１の下端部はボトル本体２の受段部２４に接合するので、口部２５と外筒部３１の接合部の隙間から内容液が漏れることもない。
【００１６】
内容液を注出するときは、摘み片３２ｄを摘んで上蓋部３２の嵌合を解除し、外筒部３１の上部から取り外すと、上蓋部３２はヒンジ部３４を支点として外筒部３１の側方に回動し、外筒部３１の上部が開放される。
この状態で、図５（Ａ）に示されるように、容器１を傾ければ、内容液は中蓋部３３の液注出孔３３ａを通って注出筒部３１ｂから注出される。
注出後、容器１を立てたときに、注出筒部３１ｂの先端に付着した液が注出筒部の外面を伝い落ちることがあるが、注出筒部３１ｂの外面に付着した液は、注出筒部３１ｂとその外側の壁部３１ｃとの間の窪みに滞留し、容器１の外側に漏れることはない。
また、内容液とともにボトル本体２に充填された固形物を取り出すときは、中蓋部３３を下方に押し下げれば、中蓋部３３はヒンジ部３５を支点として回動して下方に折れ、外筒部３１の内側は広く開放するので、図５（Ｂ）に示されるように、上方からボトル本体２内に箸を差し入れて挟み取ることができる。
【００１７】
なお、図示した形態では、蓋体３が一体成形してあるが、外筒部３１、上蓋部３２及び中蓋部３３の各部を別体に形成し、それぞれヒンジ部で連結して構成してもよく、また、上蓋部３２が外筒部３１から分離するように構成してもよい。
本発明の容器及び蓋体は、果実酒の製造や貯蔵などの他に、固形物と液体を一つの容器に入れて保存する種々の用途に使用できるものである。
【００１８】
【発明の効果】
本発明によれば、閉蓋状態では、容器開口部が蓋体で塞がれて内部を密閉状態に維持し、開蓋状態では、蓋体を容器に装着したまま、簡易な操作で液体の注出と固形物の取り出しを行うことができる。
【図面の簡単な説明】
【図１】本発明の固液分離容器の一実施形態の外観図である。
【図２】図１に示された蓋体の開蓋状態の平面図である。
【図３】図２のIII-III 線に沿った断面図である。
【図４】閉蓋状態の蓋体の断面図とボトル本体上部の部分破断図である。
【図５】（Ａ）は容器から内容液を注出する操作を示した図、（Ｂ）は容器から固形物を取り出す操作を示した図である。
【符号の説明】
１    容器
２    ボトル本体
２１    開口部
２２    底部
２３    胴部
２４    受段部
２５    口部
３    蓋体
３１    外筒部
３２    上蓋部
３３    中蓋部
【図１】
0004015373.tif 000002
【図２】
0004015373.tif 000003
【図３】
0004015373.tif 000004
【図４】
0004015373.tif 000005
【図５】
0004015373.tif 000006